(57)【要約】【課題】  キッチン台の側部に、可動収納ケースを体裁よく、かつコンパクトに格納しうるとともに、物品の出し入れを容易に行うことができるようにする。【解決手段】  天板３下部の側面板に、外側面が開放する凹部４を設け、この凹部４内に、内側面に物品収納部１０を有する可動収納ケース２を、凹部４内と可動収納ケース２とに連結した平行リンク機構７により、凹部４より離脱して天板３の側端上方まで回動しうるように設ける。【選択図】  図５
2005253948.tif 000002
【特許請求の範囲】
【請求項１】
天板下部の側面板に、外側面が開放する凹部を設け、この凹部内に、内側面側に物品収納部を有する可動収納ケースを、前記凹部の適所と可動収納ケースとに連結した支持手段により、前記凹部より離脱して前記天板の側端の上方まで移動しうるように設けたことを特徴とするキッチン台。
【請求項２】
支持手段が、可動収納ケースを、ほぼ垂直姿勢を保持したまま、天板の上方まで回動させうる回動支持手段である請求項１に記載のキッチン台。
【請求項３】
回動支持手段が、可動収納ケースを、凹部より離脱する側方から上方に向かって連続的に回動させうるものである請求項２に記載のキッチン台。
【請求項４】
回動支持手段を、前後一対の平行リンク機構とした請求項２または３に記載のキッチン台。
【請求項５】
平行リンク機構の上下のリンク片における可動収納ケース側の枢着部を、該可動収納ケースの下端部寄りとした請求項４に記載のキッチン台。
【請求項６】
平行リンク機構の上下いずれか一方のリンク片における凹部側の端部を、枢着部より突出させ、この突出端とその下方の凹部の内部とに引張りばねを張設することにより、可動収納ケースの回動時にこれを上向きに付勢するようにした請求項４または５に記載のキッチン台。
【請求項７】
可動収納ケースが凹部内に位置しているとき、リンク片の突出端への引張りばねの掛止部が、引張りばねを張設した側のリンク片における凹部と可動収納ケースとの枢着部を結ぶ直線よりも外側方に位置するようにし、前記引張りばねの引張力により、可動収納ケースを凹部内に引き込むようにした請求項６に記載のキッチン台。
【請求項８】
リンク機構と可動収納ケースとに、該可動収納ケースを上限位置で停止させる第１のロック手段を設けた請求項４ないし７のいずれかに記載のキッチン台。
【請求項９】
第１のロック手段が、上下いずれか一方のリンク片における可動収納ケースへの枢着部の端部に連設され、可動収納ケースが上限付近に達したとき下方が開口する係合溝を有するフック部と、該フック部の直下に位置するように前記可動収納ケースに正面視反時計方向に付勢されて回動自在に設けられ、可動収納ケースが上限位置に達したとき、前記フック部の下端を乗り越えてその係合溝内に突入可能なロックピンを備えるロックプレートとからなるものとした請求項８に記載のキッチン台。
【請求項１０】
ロックプレートに、ロックピンを係合溝より離脱させてロックを解除しうる操作杆を設けた請求項９に記載のキッチン台。
【請求項１１】
可動収納ケースの側面に複数の通気口を設けた請求項１ないし１０のいずれかに記載のキッチン台。
【請求項１２】
可動収納ケースの収納部側に、前後方向を向く吊支杆を設けた請求項１ないし１１のいずれかに記載のキッチン台。
【請求項１３】
可動収納ケースと凹部内とに、該可動収納ケースの凹部からの離脱を不能にロックする第２のロック手段を設けた請求項１ないし１２のいずれかに記載のキッチン台。
【請求項１４】
第２のロック手段の操作部を、可動収納ケースの上部に設けた請求項１３に記載のキッチン台。
【請求項１５】
凹部より離脱した可動収納ケースと、キッチン台の側面との間を覆うガードプレートを、可動収納ケースの少なくとも後方側に配置した請求項１ないし１４のいずれかに記載のキッチン台。
【請求項１６】
ガードプレートの少なくとも一部に透明部を形成した請求項１５に記載のキッチン台。
【請求項１７】
ガードプレートの左右幅を、凹部より側方に最大限移動した可動収納ケースとキッチン台の側面との離間幅とほぼ同一とした請求項１５または１６に記載のキッチン台。
【請求項１８】
ガードプレートを、可動収納ケース側に向けて倒伏自在に設けた請求項１５ないし１７のいずれかに記載のキッチン台。
【請求項１９】
可動収納ケースにおける内側面の周縁の少なくとも一部に、緩衝材を設けた請求項１ないし１８のいずれかに記載のキッチン台。
【発明の詳細な説明】
【技術分野】
【０００１】
本発明は、天板下部の側面板に、上方に移動可能な可動収納ケースを格納してなるキッチン台に関する。
【背景技術】
【０００２】
従来のキッチン台としては、その側面に当接して立設された腰壁の内部に、上方に突出可能な収納棚を昇降可能に設けたもの（例えば、特許文献１参照）や、対面型キッチン台の側部に、通路側が開口する収納部を設けたもの（例えば、特許文献２参照）などがある。
【０００３】
【特許文献１】実開平５−９１４４５号公報（図１等）
【特許文献２】特開２００３−３６６号公報（図２等）
【発明の開示】
【発明が解決しようとする課題】
【０００４】
上記特許文献１に記載の従来のキッチン台では、キッチン台とは別体で、かつ上下及び前後寸法の大きな腰壁に、収納棚を昇降可能に設けているため、キッチン台の左右寸法が大きくなり、対面型のキッチン台とした際に、腰壁の側方の通路が狭くなることがある。
また、腰壁が大きく露出しているので、体裁も悪い。
【０００５】
一方、上記特許文献２に記載のキッチン台では、その側方に、通路側が開口された収納部を設けているため、物品を出し入れする際に人の移動量が大きく、使い勝手が悪い。
また、収納部に収納した物品が露出しているので、見栄えが悪く、しかも埃が付着し易いため不衛生である。
【０００６】
本発明は、上記問題点を解決するためになされたもので、可動収納ケースをキッチン台の側部に体裁よく、かつコンパクトに格納しうるとともに、物品の出し入れなどの使い勝手がよく、しかも衛生的なキッチン台を提供することを目的としている。
【課題を解決するための手段】
【０００７】
上記目的を達成するために、本発明の請求項１に記載のキッチン台は、天板下部の側面板に、外側面が開放する凹部を設け、この凹部内に、内側面側に物品収納部を有する可動収納ケースを、前記凹部の適所と可動収納ケースとに連結した支持手段により、前記凹部より離脱して前記天板の側端の上方まで移動しうるように設けたことを特徴としている。
この特徴によれば、キッチン台の側面板に設けた凹部内に可動収納ケースが体裁よく、かつコンパクトに格納されているので、対面型のキッチン台として側方に通路を形成する際などにも、通路を狭くすることはない。また、可動収納ケースは、天板の側端の上方まで回動することができ、しかも内側面側に物品の収納部を有しているので、キッチン台の前面から手を伸ばすだけで、収納部への調理器具等の出し入れを容易に行うことができる。
さらに、凹部内に格納されているときには、収納部は凹部内に位置しているので、それに収納した物品に埃り等が付着する恐れはなく、衛生的である。
【０００８】
本発明の請求項２に記載のキッチン台は、請求項１に記載のキッチン台であって、支持手段が、可動収納ケースを、ほぼ垂直姿勢を保持したまま、天板の上方まで回動させうる回動支持手段であることを特徴としている。
この特徴によれば、収納部に収納した物品が倒れたり、がた付いたりするのを防止することができる。
【０００９】
本発明の請求項３に記載のキッチン台は、請求項２に記載のキッチン台であって、可動収納ケースを、凹部より離脱する側方から上方に向かって連続的に回動させうるものであることを特徴としている。
この特徴によれば、可動収納ケースの上下方向の回動動作を円滑に行うことができる。
【００１０】
本発明の請求項４に記載のキッチン台は、請求項２または３に記載のキッチン台であって、回動支持手段を、前後一対の平行リンク機構としたことを特徴としている。
この特徴によれば、簡単な機構で、可動収納ケースを、垂直姿勢を保ったままの状態で円滑に上下に回動させることができる。
【００１１】
本発明の請求項５に記載のキッチン台は、請求項４に記載のキッチン台であって、平行リンク機構の上下のリンク片における可動収納ケース側の枢着部を、該可動収納ケースの下端部寄りとしたことを特徴としている。
この特徴によれば、リンク片の長さが短くても、可動収納ケースの上方への突出量を大とすることができる。
【００１２】
本発明の請求項６に記載のキッチン台は、請求項４または５に記載のキッチン台であって、平行リンク機構の上下いずれか一方のリンク片における凹部側の端部を、枢着部より突出させ、この突出端とその下方の凹部の内部とに引張りばねを張設することにより、可動収納ケースの回動時にこれを上向きに付勢するようにしたことを特徴としている。
この特徴によれば、可動収納ケースを軽い力で上方に回動することができる。
【００１３】
本発明の請求項７に記載のキッチン台は、請求項６に記載のキッチン台であって、可動収納ケースが凹部内に位置しているとき、リンク片の突出端への引張りばねの掛止部が、引張りばねを張設した側のリンク片における凹部と可動収納ケースとの枢着部を結ぶ直線よりも外側方に位置するようにし、前記引張りばねの引張力により、可動収納ケースを凹部内に引き込むようにしたことを特徴としている。
この特徴によれば、特別なロック手段を用いることなく、可動収納ケースを上向き付勢する引張りばねを利用して、可動収納ケースを凹部内に保持しておくことができる。
【００１４】
本発明の請求項８に記載のキッチン台は、請求項４ないし７のいずれかに記載のキッチン台であって、リンク機構と可動収納ケースとに、該可動収納ケースを上限位置で停止させる第１のロック手段を設けたことを特徴としている。
この特徴によれば、可動収納ケースを上限位置にロックした状態で、収納部への物品の出し入れを極めて容易に行うことができる。
【００１５】
本発明の請求項９に記載のキッチン台は、請求項８に記載のキッチン台であって、第１のロック手段が、上下いずれか一方のリンク片における可動収納ケースへの枢着部の端部に連設され、可動収納ケースが上限付近に達したとき下方が開口する係合溝を有するフック部と、該フック部の直下に位置するように前記可動収納ケースに正面視反時計方向に付勢されて回動自在に設けられ、可動収納ケースが上限位置に達したとき、前記フック部の下端を乗り越えてその係合溝内に突入可能なロックピンを備えるロックプレートとからなるものとしたことを特徴としている。
この特徴によれば、可動収納ケースを上限位置まで回動させるだけで自動的にロックされるので、手動のロック手段を設けてこれをその都度操作する手間が省ける。
【００１６】
本発明の請求項１０に記載のキッチン台は、請求項９に記載のキッチン台であって、ロックプレートに、ロックピンを係合溝より離脱させてロックを解除しうる操作杆を設けたことを特徴としている。
この特徴によれば、可動収納ケースのロック解除も片手で簡単に行うことができる。
【００１７】
本発明の請求項１１に記載のキッチン台は、請求項１ないし１０のいずれかに記載のキッチン台であって、可動収納ケースの側面に複数の通気口を設けたことを特徴としている。
この特徴によれば、水滴が付着した物品や濡れた物品を収納部に収納しても、これらを自然に乾燥することができる。
【００１８】
本発明の請求項１２に記載のキッチン台は、請求項１ないし１１のいずれかに記載のキッチン台であって、可動収納ケースの収納部側に、前後方向を向く吊支杆を設けたことを特徴としている。
この特徴によれば、濡れた布巾等を吊支して乾かすことができるので便利である。
【００１９】
本発明の請求項１３に記載のキッチン台は、請求項１ないし１２のいずれかに記載のキッチン台であって、可動収納ケースと凹部内とに、該可動収納ケースの凹部からの離脱を不能にロックする第２のロック手段を設けたことを特徴としている。
この特徴によれば、可動収納ケースが凹部から不用意に離脱し、移動した可動収納ケースと接触する等の危険が防止されるため、安全性が向上する。
【００２０】
本発明の請求項１４に記載のキッチン台は、請求項１３に記載のキッチン台であって、第２のロック手段の操作部を、可動収納ケースの上部に設けたことを特徴としている。
この特徴によれば、使用者は深く屈んだりすることなく操作部の操作を行うことができるため、操作性が向上するばかりか、特に子供等が操作部を操作しにくくなり、移動した可動収納ケースと接触する等の危険が防止されるため、安全性が向上する。
【００２１】
本発明の請求項１５に記載のキッチン台は、請求項１ないし１４のいずれかに記載のキッチン台であって、凹部より離脱した可動収納ケースと、キッチン台の側面との間を覆うガードプレートを、可動収納ケースの少なくとも後方側に配置したことを特徴としている。
この特徴によれば、可動収納ケースの凹部への収納時において、可動収納ケースとキッチン台の側面との間に手指が挿入されることがないため、特に子供等が手指を挟むこと等を未然に防止することができるばかりか、使用者がキッチン台の前方側から可動収納ケースを凹部に収納する場合において、目が届きにくい可動収納ケースの後方側で子供等が手指を挟むこと等を未然に防止することができるため、安全性が向上する。
【００２２】
本発明の請求項１６に記載のキッチン台は、請求項１５に記載のキッチン台であって、ガードプレートの少なくとも一部に透明部を形成したことを特徴としている。
この特徴によれば、使用者がキッチン台の前方側から可動収納ケースを凹部に収納する場合において、目が届きにくい可動収納ケースの後方側に子供等がいるときでも、ガードプレートの透明部を通してその存在を認識できるため、安全性がより向上する。
【００２３】
本発明の請求項１７に記載のキッチン台は、請求項１５または１６に記載のキッチン台であって、ガードプレートの左右幅を、凹部より側方に最大限移動した可動収納ケースとキッチン台の側面との離間幅とほぼ同一としたことを特徴としている。
この特徴によれば、可動収納ケースとキッチン台の側面との間に手指が挿入されることを確実に防止できるばかりか、左右幅を最小限に抑えることができるため、キッチン台側方の歩行の邪魔になることがない。
【００２４】
本発明の請求項１８に記載のキッチン台は、請求項１５ないし１７のいずれかに記載のキッチン台であって、ガードプレートを、可動収納ケース側に向けて倒伏自在に設けたことを特徴としている。
この特徴によれば、可動収納ケースが凹部に収納されているときにはガードプレートを可動収納ケース側に倒すことができるため、キッチン台側方の歩行の邪魔になることがない。
【００２５】
本発明の請求項１９に記載のキッチン台は、請求項１ないし１８のいずれかに記載のキッチン台であって、可動収納ケースにおける内側面の周縁の少なくとも一部に、緩衝材を設けたことを特徴としている。
この特徴によれば、可動収納ケースの凹部への収納時において、凹部の開口周縁と可動収納ケースの内側面周縁との間に手指などが挟まれたときにおける衝撃が緩衝されるため、安全性が向上する。
【発明を実施するための最良の形態】
【００２６】
以下、本発明の実施例１を図面に基づいて説明する。
【実施例１】
【００２７】
図１は、本発明の実施例１におけるキッチン台１で、可動収納ケース２を格納した状態の斜視図、図２は同じく、可動収納ケース２を上限位置まで回動したときの斜視図、図３は、図１のIII−III線に沿う縦断正面図である。図４は、可動収納ケースを側方に最大限回動したときの縦断正面図、図５は同じく、可動収納ケースを上限位置まで回動してロックされた状態の縦断正面図、図６は図４のIV−IV線に沿う横断平面図、図７は、可動収納ケースが上限位置付近に達したとき、フック部によりロックピンが押圧された状態の概略図、図８は同じく、可動収納ケースが上限位置に達したとき、ロックピンがフック部の下端を乗り越えて係合溝に突入した状態の概略図である。
【００２８】
キッチン台１における天板３の側端下部の側面板１ａには、上端と側面が開放された方形の凹部４が形成され、この凹部４内に、可動収納ケース２が、側方から上方に連続的に回動しうるように格納されている。
【００２９】
可動収納ケース２の最大左右寸法及び凹部４の深さは、例えば１５０mm又はそれ以下の薄型とされ、凹部４内に可動収納ケース２を格納したとき、その側面とキッチン台１の側面板１ａとが同一面に整合するようになっている。
【００３０】
可動収納ケース２は、側面にスリット状の多数の通気口５が設けられた、凹部４と同形の平板状の本体６と、これを垂直状態を保ちながら支持して、側方及び上方に回動させる前後１対の平行リンク機構７を備えている。
【００３１】
本体６の外側面の上部には、把手８が設けられているとともに、本体６の前後両端部の内側面には、１対の側板９，９が内向きに突設され、両側板９間における本体６の内側面の下端部には、物品載置用のトレイ１０が取付けられている。
【００３２】
また、両側板９の上端部の対向面に取付けた１対の支持片１１間には、図２に示すように、布巾１２等を引っ掛けて吊支可能な吊支杆１３が取付けられている。
【００３３】
両側板９のやや下方寄りの対向面には、上向きくの字状をなすロックプレート１４の中間部が、前後方向を向くピン１５により上下に回動自在に枢着され、その側端部（右端部）には、側板９に形成した上下方向を向く長孔１６に沿って移動するロックピン１７が取付けられている。
【００３４】
両ロックプレート１４の左端部間には、操作杆１８が取付けられ、この操作杆１８の重さにより、ロックプレート１４は、ピン１５を中心として正面視反時計方向に付勢され、ロックピン１７は常時長孔１６の上端に位置するようになっている。
【００３５】
なお、上記操作杆１８は、上限位置でロックされた可動収納ケース２のロックを解除するためのものであるが、図２に示すように、トレイ１０に載せたまな板１９等の長寸の物品を立てかけたり、布巾１２などを吊支するのにも利用することができる。すなわち、これらロックプレート１４、ピン１５、長孔１６、ロックピン１７、操作杆１８は、本発明における第１のロック手段を構成している。
【００３６】
上記平行リンク機構７は、図４ないし図６にも示すように、上部リング片２０と、それより若干短寸の下部リンク片２１とからなり、上部リンク片２０の一端部は、キッチン台１の凹部４内においてその前後に対向する内側板２２の上端部に、枢軸２３により回動可能に枢支され、他端は、可動収納ケース２における側板９の外面に、上記ロックプレート１４の直上に位置するように、ピン２４により枢支されている。
【００３７】
下部リンク片２１の一端部は、内側板２２の左方寄りの上下方向の中央部に枢軸２５により回動可能に枢支され、他端は、可動収納ケース２の側板９の外面にやや左方寄りの下端部に、ピン２６により枢支されている。また、上部リンク片２０の一端部には、やや右方に折曲された補助片２７が一体的に突設され、この補助片２７の突出端には、ガイドピン２８が、前後方向を向いて取付けられている。
【００３８】
上記ガイドピン２８は、凹部４の内側板２２の上端部に形成された枢軸２３を中心とする円弧状のガイド溝２９に、摺動可能に嵌合されている。ガイド溝２９の上部側の終端は、枢軸２３の中心を通る垂直線よりも若干右方に、同じく下部側の終端は、枢軸２３の斜め左下方に、それぞれ位置しており、図３に示すように、可動収納ケース２が凹部４に格納されているとき、ガイドピン２８はガイド溝２９の上部側の終端付近に位置し、図５に示すように、収納ケース２を上限まで移動させたとき、ガイドピン２８は、ガイド溝２９の下部側の終端と当接又は近接する位置まで回動するようになっている。
【００３９】
ガイドピン２８の内側板２２内への突出部には、凹部４の外側板３０と内側板２２との間の空間部に収容された引張りコイルばね３１の上端が掛止され、該引張りコイルばね３１の下端は、枢軸２３の下方において内側板２２と外側板３０との対向面に固定された掛止ピン３２に、常時ガイドピン２８に下向きの引張力が加わるように掛止されている。
【００４０】
図３に示すように、可動収納ケース２が凹部４に格納されているとき、ガイドピン２８は、上部リンク片２０の枢軸２３とピン２４を結ぶ直線よりも右方、すなわち、ガイド溝２９の頂点を越えて若干右下方に位置することにより、引張りコイルばね３１の引張力が、可動収納ケース２を凹部４の内方に向かって引き込む方向に作用するようになっている。従って、可動収納ケース２は、格納状態に保持される。
【００４１】
上部リンク片２０の可動収納ケース２側の端部には、上記ロックプレート１４のロックピン１７と係脱可能な係合溝３３ａを有するフック部３３が、一体的に形成されている。
【００４２】
次に、上記可動収納ケース２の使用例について説明する。
【００４３】
図３の格納位置にある可動収納ケース２を、把手８に手を掛けて側方に引くと、上下のリンク片２０，２１が枢軸２３，２５を中心として回動し、かつ上部リンク片２０の先端のガイドピン２８が、ガイド溝２９の頂点を通過して下方に移動することにより、可動収納ケース２は、引張りコイルばね３１により上向きに付勢させられながら、軽い力で側方から斜め右上方に向かって、ほぼ垂直姿勢を保ったままの状態で回動する。
【００４４】
図４及び図６は、可動収納ケース２が側方に最大限移動した状態を示すもので、この状態では、フック部３３の係合溝３３ａとロックピン１７とはまだ離間しており、また、引張りコイルばね３１による上向きの付勢力が引き続き作用しているので、可動収納ケース２から手を離しても、下方に可動するのが防止される。
【００４５】
図４の位置から、可動収納ケース２をさらに上向きに回動し、垂直姿勢のまま、図５に示す上限位置まで回動させると、フック部３３の係合溝３３ａが下方を向いてロックプレート１４のロックピン１７に自動的に係合し、上部リンク片２０の下向き回動がロックされ、可動収納ケース２が上限位置で停止保持される。
【００４６】
すなわち、図７に略示するように、可動収納ケース２が上限位置付近に達すると、フック部３３の右端下部の弧状面がロックピン１７の上面付近に当接し、これを長孔１６に沿って下方に押動することにより、ロックプレート１４は、ピン１５を中心として時計方向に回動する。
【００４７】
そして、可動収納ケース２が上限位置に達し、上部リンク片２０がさらに急角度に回動すると、図８に示すように、ロックピン１７がフック部３３の下端を乗り越えると同時に、ロックプレート１４が自重により反時計方向に回動する。これにより、ロックピン１７が係合溝３３ａ内に突入し、上部リンク片２０が自動的にロックされるようになる。
【００４８】
このように、可動収納ケース２を上限位置、すなわちキッチン台１の天板３の上方に大きく突出した状態に保持することにより、可動収納ケース２内に、キッチン台１側より調理器具等の物品を容易に出し入れすることができる。
【００４９】
可動収納ケース２を凹部４内に格納する際は、まず、ロックピン１４に取付けた操作杆１８を引き上げて、ロックプレート１４を時計方向に回動させ、ロックピン１７を係合溝３３ａより離脱させる。
【００５０】
次いで、把手８を手で持って、本体６を、引張りコイルばね３１の付勢力に抗して押し下げ、可動収納ケース２全体が凹部４に格納されるまで下向きに回動させればよい。
【００５１】
凹部４に可動収納ケース２が格納されると、前述したように、ガイドピン２８がガイド溝２９の頂点、すなわち枢軸２３とピン２４とを結ぶ直線を越えて若干右下方に位置することにより、引張りコイルばね３１の引張力により格納位置に保持される。
【実施例２】
【００５２】
次に、本発明の実施例２としてのキッチン台１’を、図９〜図１４に基づいて説明する。
【００５３】
本実施例２としてのキッチン台１’は、前記実施例１に記載されたキッチン台１とほぼ同様に構成され、特に可動収納ケース２’を回動させる際において、例えば子供等が可動収納ケース２’と接触したり、手指などを挟むといった危険を防止するためのロック機構４０、ガイドプレート５０、緩衝材５２が備えられており、以下においては、主にこれらの詳細な構造について説明する。なお、本実施例２のキッチン台１’において、上記実施例１のキッチン台１と同様に構成された部位に関しては、同様の符号を付すことにより、詳細な説明を省略することとする。
【００５４】
以下において、図９は本発明の実施例２におけるキッチン台を、可動収納ケースを収納した状態で側方より見た斜視図、図１０は同じく可動収納ケース２を上限位置まで回動した状態を斜め前方より見た斜視図、図１１は図９のV−V線に沿う拡大断面図、図１２は可動収納ケースの外側面の要部を示す側面図、図１３（ａ）は図１１のVII−VII線に沿う拡大断面図であり、（ｂ）は可動収納ケースが収納される直前の状態を示す断面図、図１４（ａ）は可動収納ケースが凹部内に収納された状態を示す図９のVI−VI線に沿う断面図であり、（ｂ）は可動収納ケースがキッチン台の側方に最大限張り出した状態を示す縦断面図であり、（ｃ）は可動収納ケースが上限に達した状態を示す縦断面図である。
【００５５】
本発明の実施例２としてのキッチン台１’は、特に図９〜図１１に示すように、可動収納ケース２’における本体６’上部の前後方向の中央部に固設されるケーシング４２内に水平回動自在に枢支される係止片４４と、可動収納ケース２’を凹部４内へ収納したときにおいて前記係止片４４の先端に形成される係止爪４４ａと係合するように、キッチン台１’の凹部４側に突設されたロックピン４５と、から主に構成される第２のロック手段としてのロック機構４０が備えられている。
【００５６】
ケーシング４２は、特に図１３に示されるように、側面が開口する箱状に形成されるとともに、該ケーシング４２の開口の周囲には操作パネル４１が形成され、可動収納ケース２’の本体６’上部に形成された開口に外側から嵌挿されるようになっており、本体６’の内側から挿通されるねじ４９が前記操作パネル４１の内面側に突設されたボス４２ａ内に螺入されることにより、本体６’に固設されている。
【００５７】
係止片４４は、図１１〜図１３に示されるように、上下端部がケーシング４２の上下壁に枢支された枢軸４７に一端部側が固着されており、枢軸４７を中心に水平回動自在に設けられている。係止片４４は、ケーシング４２の壁部に形成された水平方向を向くスリット４２ｂを介して該ケーシング４２の内部から外部に挿通され、その凹部４側に突出された端部には、前記ロックピン４５に係止（ロック）可能な係止爪４４ａが形成されているとともに、他方の端部には、該係止爪４４ａのロックピン４５に対する係止を解除するために操作される操作部を構成する操作板４３が取り付けられている。
【００５８】
枢軸４７における係止片４４の上下には、一端がケーシング４２の内部所定箇所に係止され、他端が操作板４３の内面所定箇所に係止されたコイルバネ４８が装着されており、係止片４４は、該コイルバネ４８により係止爪４４ａをロックピン４５に係止させる方向に向けて常時付勢されている。また、ケーシング４２における図１３中右側の開口縁部には、操作板４３の右側端部内面に当接して係止片４４の回動を規制するための回動規制片４２ａが内向きに形成されており、操作板４３が回動規制片４２ａと当接した位置において、操作板４３の外面と操作パネル４１の外面とが略面一をなすとともに、係止爪４４ａがロックピン４５に係止可能な係止位置にて係止片４４が保持されるようになっている。
【００５９】
一方、ロックピン４５は、図１１に示すように、凹部４内における天板３の下面に固着されたロックピンブラケット４６に固定され、可動収納ケース２’が凹部４内に収納されたときに係止爪４４ａが係止される位置に配設されている。
【００６０】
ここで、係止爪４４ａのロック動作について説明すると、まず、図１３（ｂ）に示すように、可動収納ケース２’が下向きに回動されて凹部４に収納される位置付近に達すると、係止片４４の斜部４４ｂがロックピン４５の曲部４５ａに当接することにより、係止片４４は、コイルバネ４８の付勢力に抗して枢軸４７を中心に平面視時計方向に回動する。
【００６１】
そして、図１３（ａ）に示すように、可動収納ケース２’が凹部４に収納されると、係止片４４の斜部４４ｂがロックピン４５を乗り越えると同時に、係止片４４がコイルバネ４８の付勢力により平面視反時計方向に回動する。これにより、係止爪４４ａがロックピン４５に係止され、該係止爪４４ａのロックピン４５への係止作用により可動収納ケース２’の側方への離脱（回動）が不能にロックされる。
【００６２】
このように、可動収納ケース２’が凹部４に収納されたときに、係止片４４の係止爪４４ａがロックピン４５に係止され、可動収納ケース２’の回動動作がロックされ、可動収納ケース２’が収納位置で停止保持される。
【００６３】
また、係止爪４４ａのロック解除動作について説明すると、可動収納ケース２’が凹部４に収納された位置において可動収納ケース２’の回動動作がロックされた状態において、図１２に示すように操作板４３の左側端部を押圧することにより、係止爪４４ａとロックピン４５との係止が解除されるため、可動収納ケース２’を凹部４から離脱（回動）させることが可能となる。
【００６４】
このように、可動収納ケース２’と凹部４内とに、該可動収納ケース２’の凹部４からの離脱を不能にロックするロック機構４０が設けられていることで、可動収納ケース２’が凹部４から不用意に離脱し、回動した可動収納ケース２’と接触する等の危険が防止されるため、安全性が向上する。
【００６５】
また、ロック機構４０の操作部である操作板４３を、可動収納ケース２’の上部に設けたことで、可動収納ケース２’の使用者は、身体を深く屈めたりすることなく操作板４３の操作を行うことができるため、操作性が向上するばかりか、特に子供等が操作板４３を操作しにくくなるため、回動した可動収納ケース２’と接触する等の危険が防止される。
【００６６】
特に、操作板４３は、本体６’の外側面上部に設けられたアーチ状の把手８の内側近傍に配設されているため、操作板４３の側方が把手８により覆われることになるため、操作板４３が、キッチン台１’の側方を歩行する人等により不用意に押圧されてロックが解除されることがないとともに、可動収納ケース２’を回動させる際には、把手８を掴んだ状態で操作板４３を操作できるため、操作性が効果的に向上する。
【００６７】
次に、ガードプレート５０について説明する。ガードプレート５０は、図９および図１０に示すように、可動収納ケース２’の回動動作時、特には凹部４への収納動作時において、凹部４より離脱した可動収納ケース２’と、キッチン台１’の側面１ａとの間を覆うように、キッチン台１’の側面板１ａ’における可動収納ケース２’の後方側（図９中における奥側）に配設されており、可動収納ケース２’の凹部４への収納時において、子供等の手指が可動収納ケース２’と凹部４との間に挟まれるといった危険が未然に防止されるようになっている。
【００６８】
ガードプレート５０は、透明のアクリル板（合成樹脂材）により長方形状に形成されているとともに、その上下方向を向く一側辺の上部と下部の２箇所が、ヒンジ５１を介してキッチン台１’の側面板１ａ’に取り付けられており、該ヒンジ５１により、可動収納ケース２’側のみに倒伏されるように配設されている。したがって、可動収納ケース２’が凹部４へ収納されているときにおいて、ガードプレート５０がキッチン台１’の側方に大きく張り出したままとなることがないので、キッチン台１’の側方を人が歩行するためのスペースを確保することができる。
【００６９】
また、透明のアクリル板により形成されていることで、使用者がキッチン台１’の前方側から可動収納ケース２’を凹部４に収納する場合において、例えば目が届きにくい可動収納ケース２’の後方側に子供等がいるときでも、ガードプレート５０を通してその存在を認識できるようになっている。なお、本実施例２におけるガードプレート５０は透明なアクリル板にて形成されていたが、本発明はこれに限定されるものではなく、ガードプレート全体に透明部が形成されていなくても、例えば不透明なプレートの一部に、可動収納ケース２’の後方側を視認可能な透明部が形成されているものでもよい。
【００７０】
また、ガードプレート５０の左右幅は、図１４（ｂ）に示すように、凹部４より側方に最大限移動した可動収納ケース２’とキッチン台１’の側面１ａ’との離間幅とほぼ同一に形成されているため、可動収納ケース２’とキッチン台１’の側面１ａ’との間に手指が挿入されることを確実に防止できるばかりか、左右幅を最小限に抑えることができるため、キッチン台１’側方の歩行の邪魔になることがない。
【００７１】
次に、緩衝材５２について説明すると、図１０及び図１４に示すように、可動収納ケース２’の内側面の全周縁には、例えば軟質のゴム材等からなる緩衝材５２（パッキン）が環状に取り付けられている。これにより、可動収納ケース２’を凹部４に収納する際において、キッチン台１’の側板１ａにおける凹部４の開口周縁と可動収納ケース２’の内側面周縁との間に手指などが挟まれたときにおける衝撃が緩衝され、手指の損傷を最小限に抑えることができるため、安全性が向上する。
【００７２】
また、前述のように緩衝材５２を可動収納ケース２’の内側面周縁に取り付けるのに加え、特に図示はしないが、さらに前記上部リング片２０や下部リンク片２１に前記緩衝材５２のような軟質のゴム材等を環装すれば、手指が挟まれたときの損傷防止に有効である。
【００７３】
なお、本発明は上記実施例１、２に限定されるものではない。
【００７４】
上記実施例１では、上部リンク片２０の一端部に突設した補助片２７にガイドピン２８を設け、このピン２８をガイド溝２９に摺動可能に嵌合させるとともに、引張りコイルばね３１の上端を掛止しているが、ガイドピン２８及びガイド溝２９を省略し、引張りコイルばね３１の上端を補助片２７の先端に直接掛止してもよい。
【００７５】
ロックプレート１４を常時正面視反時計方向に付勢するのに、操作杆１８の自重を利用しているが、例えば引張りコイルばね等の付勢部材を別途設けてもよい。
【００７６】
補助片２７と一体に連動可能な回動アームを別途設け、この回動アームをダンパー又はブレーキ装置に連係してもよく、このようにすると、可動収納ケース２を付勢する引張りコイルばね３１のばね定数を大としても、可動収納ケース２が勢いよく上昇することがないので、それをより軽い力で上方に回動させることができる。
【００７７】
なお、本発明の実施例１では、可動収納ケースが天板の上方まで回動する例で説明したが、上方まで移動するどのような手段でもよく、水平に引き出した後、垂直に上げるようにしてもよい。
【００７８】
また、本発明の実施例２では、ガイドプレート５０が、キッチン台１’の側面板１ａ’における可動収納ケース２’の後方側位置のみに配設されていたが、ガードプレート５０を可動収納ケース２’の前方側にも配設してもよい。
【００７９】
また、本発明の実施例２では、第２のロック手段として、係止爪４４ａとロックピン４５との係止によりロックするロック機構４０が適用されていたが、可動収納ケース２’の凹部４からの離脱を不能にロック及びロックの解除が可能なものであれば、係止によりロックするロック機構４０に限定されるものではない。
【００８０】
また、本発明の実施例２では、可動収納ケース２’の内側面の全周縁に緩衝材５２が取り付けられていたが、緩衝材５２は必ずしも全周縁に取り付けられている必要はなく、例えば可動収納ケース２’の内側面下部のみに部分的に取り付けてもよい。
【００８１】
なお、本発明の実施例２では、可動収納ケースが天板の上方まで回動する可動収納ケース２’を備えるキッチン台１’に、前記ロック機構４０、ガイドプレート５０、緩衝材５２を設けた例として説明したが、前述したように、可動収納ケースが水平に引き出した後、垂直に上げるように移動するものに前記ロック機構４０、ガイドプレート５０、緩衝材５２を適用するようにしてもよい。
【図面の簡単な説明】
【００８２】
【図１】本発明の実施例１におけるキッチン台を、可動収納ケースを凹部に格納した状態で側方より見た斜視図である。
【図２】同じく、可動収納ケースを上限位置まで回動した状態を斜め前方より見た斜視図である。
【図３】図１のIII−III線に沿う縦断正面図である。
【図４】本発明の実施例１におけるキッチン台を、可動収納ケースを側方に最大限回動したときの縦断正面図である。
【図５】同じく、可動収納ケースを上限位置まで回動してロックされた状態の縦断正面図である。
【図６】図４のIV−IV線に沿う横断平面図である。
【図７】可動収納ケースが上限位置付近に達したとき、フック部によりロックピンが押圧された状態の概略図である。
【図８】同じく、可動収納ケースが上限位置に達したとき、ロックピンがフック部の下端を乗り越えて係合溝に突入した状態の概略図である。
【図９】本発明の実施例２におけるキッチン台を、可動収納ケースを収納した状態で側方より見た斜視図である。
【図１０】同じく、可動収納ケースを上限位置まで回動した状態を斜め前方より見た斜視図である。
【図１１】図９のV−V線に沿う拡大断面図である。
【図１２】可動収納ケースの外側面の要部を示す側面図である。
【図１３】（ａ）は図１１のVII−VII線に沿う拡大断面図であり、（ｂ）は可動収納ケースが収納される直前の状態を示す断面図である。
【図１４】（ａ）は可動収納ケースが凹部内に収納された状態を示す図９のVI−VI線に沿う断面図であり、（ｂ）は可動収納ケースがキッチン台の側方に最大限張り出した状態を示す縦断面図であり、（ｃ）は可動収納ケースが上限に達した状態を示す縦断面図である。
【符号の説明】
【００８３】
１、１’          キッチン台
１ａ、１ａ’      側面板
２、２’          可動収納ケース
３                天板
４                凹部
５                通気口
６、６’          本体
７                平行リンク機構
８                把手
９                側板
１０              トレイ
１１              支持片
１２              布巾
１３              吊支杆
１４              ロックプレート（第１のロック手段）
１５              ピン（第１のロック手段）
１６              長孔（第１のロック手段）
１７              ロックピン（第１のロック手段）
１８              操作杆（第１のロック手段）
１９              まな板
２０              上部リンク片
２１              下部リンク片
２２              内側板
２３              枢軸
２４              ピン
２５              枢軸
２６              ピン
２７              補助片
２８              ガイドピン
２９              ガイド溝
３０              外側板
３１              引張りコイルばね（引張りばね）
３２              掛止ピン
３３              フック部
３３ａ            係合溝
４０              ロック機構（第２のロック手段）
４１              操作パネル
４２              ケーシング
４３              操作板（操作部）
４４              係止片
４４ａ            係止爪
４５              ロックピン
４６              ロックピンブラケット
４７              枢軸
４８              コイルバネ
５０              ガードプレート
５２              緩衝材
【図１】
2005253948.tif 000003
【図２】
2005253948.tif 000004
【図３】
2005253948.tif 000005
【図４】
2005253948.tif 000006
【図５】
2005253948.tif 000007
【図６】
2005253948.tif 000008
【図７】
2005253948.tif 000009
【図８】
2005253948.tif 000010
【図９】
2005253948.tif 000011
【図１０】
2005253948.tif 000012
【図１１】
2005253948.tif 000013
【図１２】
2005253948.tif 000014
【図１３】
2005253948.tif 000015
【図１４】
2005253948.tif 000016